(57)【要約】【課題】  照明兼用プロジェクタが照明モードで動作中の場合に、ユーザが操作メニューを視認できるようする。【解決手段】  光拡散部１７３は、照明モードでは投影光学系１７１からの光を拡散し、表示モードでは、投影光学系１７１からの光を透過する。照明モードで動作しているときに、ユーザが操作部１１３によりメニュー表示指示のユーザ操作をすると、ＣＰＵ１１０は、照明モードを表示モードに切り替え、液晶素子１５１Ｒ，１５１Ｇ，１５１Ｂに操作メニューを表示させる。投影光学系１７１は、液晶素子１５１Ｒ，１５１Ｇ，１５１Ｂに表示される操作メニューを投影する。【選択図】  図１
2019080176.tif 000002
【特許請求の範囲】
【請求項１】
画像を表示する表示モードと周囲を照明する照明モードを選択できる表示手段と、
ユーザ操作を受け入れる操作手段と、
前記表示手段が前記照明モードで動作するときに、メニュー表示指示のユーザ操作を受けると、前記表示手段を前記表示モードに遷移させ、前記メニュー表示指示に応じた所定のメニューを表示させる制御手段
とを有することを特徴とする表示装置。
【請求項２】
前記制御手段は、前記メニュー表示指示のユーザ操作に対して、前記メニュー表示指示に応じた所定のメニューを表示できる他の表示装置がある場合、前記他の表示装置に前記所定のメニューを表示させ、前記他の表示装置が無い場合、前記表示手段を前記表示モードに遷移させ、前記メニュー表示指示に応じた所定のメニューを表示させることを特徴とする請求項１に記載の表示装置。
【請求項３】
前記制御手段は、前記所定のメニューの表示から規定時間の経過後に、前記表示手段を前記照明モードに復帰させることを特徴とする請求項１に記載の表示装置。
【請求項４】
画像を表示する表示モードと、周囲を照明する照明モードと、表示領域の一部にメニューを表示できる照明兼表示モードのいずれかを選択できる表示手段と、
ユーザ操作を受け入れる操作手段と、
前記表示手段が前記照明モードで動作するときに、メニュー表示指示のユーザ操作を受けると、前記表示手段を前記照明兼表示モードに遷移させ、前記メニュー表示指示に応じた所定のメニューを前記表示領域の一部に表示させる制御手段
とを有することを特徴とする表示装置。
【請求項５】
前記制御手段は、前記照明モードの設定の変更の操作に応じて、前記表示領域の一部を除いた部分にある照明反映領域を前記変更の操作の設定に応じた内容に変更させることを特徴とする請求項４に記載の表示装置。
【請求項６】
画像を表示する表示モードと周囲を照明する照明モードを選択できる照明兼用表示装置と、前記照明兼用表示装置と通信できる１以上の表示装置からなる表示システムであって、
前記照明モードで動作する前記照明兼用表示装置に対するメニュー表示指示のユーザ操作に応じて、前記メニュー表示指示に応じた所定のメニューを表示する１つの表示装置を前記１以上の表示装置から決定する決定手段と、
前記１つの表示装置に前記所定のメニューを表示させる手段
とを有することを特徴とする表示システム。
【請求項７】
前記決定手段は、前記メニュー表示指示に応じた所定のメニューを表示可能な複数の表示装置のうちの、前記照明兼用表示装置に近い設置位置の１つの表示装置を決定することを特徴とする請求項６に記載の表示システム。
【請求項８】
前記決定手段は、前記メニュー表示指示に応じた所定のメニューを表示可能な複数の表示装置のうちの、前記照明兼用表示装置に近い表示面の１つの表示装置を決定することを特徴とする請求項６に記載の表示システム。
【請求項９】
前記決定手段は、前記メニュー表示指示に応じた所定のメニューを表示可能な複数の表示装置のうちの、ユーザのリモコンの方向に従い前記１つの表示装置を決定することを特徴とする請求項６に記載の表示システム。
【請求項１０】
前記決定手段は、前記１以上の表示装置のうちの１つを、前記メニューを表示できる状態に制御して、前記１つの表示装置として決定することを特徴とする請求項６に記載の表示システム。
【請求項１１】
前記決定手段は、前記１以上の表示装置のうち、前記照明兼用表示装置に近い設置位置の表示装置を、前記メニューを表示できる状態に制御して、前記１つの表示装置として決定することを特徴とする請求項１０に記載の表示システム。
【請求項１２】
前記決定手段は、前記１以上の表示装置のうち、前記照明兼用表示装置に近い表示面の表示装置を、前記メニューを表示できる状態に制御して、前記１つの表示装置として決定することを特徴とする請求項１０に記載の表示システム。
【請求項１３】
前記決定手段は、前記１以上の表示装置のうち、ユーザのリモコンの方向に従う表示装置を、前記メニューを表示できる状態に制御して、前記１つの表示装置として決定することを特徴とする請求項１０に記載の表示システム。
【請求項１４】
前記１以上の表示装置の１以上が、照明モードも選択できることを特徴とする請求項１０に記載の表示システム。
【請求項１５】
画像を表示する表示モードと周囲を照明する照明モードを選択できる表示装置を制御する制御方法であって、
ユーザ操作を受け入れるステップと、
前記照明モードで動作するときに、メニュー表示指示のユーザ操作を受けると、前記表示モードに遷移させ、前記メニュー表示指示に応じた所定のメニューを表示させるステップ
とを有することを特徴とする表示装置の制御方法。
【請求項１６】
画像を表示する表示モードと、周囲を照明する照明モードと、表示領域の一部にメニューを表示できる照明兼表示モードのいずれかを選択できる表示装置を制御する制御方法であって、
ユーザ操作を受け入れるステップと、
前記照明モードで動作するときに、メニュー表示指示のユーザ操作を受けると、前記照明兼表示モードに遷移させ、前記メニュー表示指示に応じた所定のメニューを前記表示領域の一部に表示させるステップ
とを有することを特徴とする表示装置の制御方法。
【請求項１７】
画像を表示する表示モードと周囲を照明する照明モードを選択できる照明兼用表示装置と、前記照明兼用表示装置と通信できる１以上の表示装置からなる表示システムの制御方法であって、
前記照明兼用表示装置に対するユーザ操作を受け付けるステップと、
前記照明モードで動作する前記照明兼用表示装置に対するメニュー表示指示のユーザ操作に応じて、前記メニュー表示指示に応じた所定のメニューを表示する１つの表示装置を前記１以上の表示装置から決定する決定ステップと、
前記１つの表示装置に前記所定のメニューを表示させるステップ
とを有することを特徴とする表示システムの制御方法。
【発明の詳細な説明】
【技術分野】
【０００１】
本発明は、画像表示と照明を選択可能な表示装置及びシステム並びに制御方法に関する。
【背景技術】
【０００２】
コンテンツなどを表示する液晶プロジェクタに照明器具の機能を持たせた投影表示装置、すなわち、照明器具とプロジェクタを兼用可能な照明兼用プロジェクタがある。
【０００３】
照明兼用プロジェクタは、画像を投影する表示モード（または画像投影モード）と、単なる照明として照明光を外部に出力する照明モードを選択可能である（特許文献１）。表示モードでは、プロジェクタの液晶パネルに形成される画像をスクリーンに投影する。照明モードでは、プロジェクタの光源が出す光が拡散板により拡散し、拡散光を外部に出力する。
【先行技術文献】
【特許文献】
【０００４】
【特許文献１】特開２０１５−２２２０１号公報
【発明の概要】
【発明が解決しようとする課題】
【０００５】
照明モードで動作中の照明兼用プロジェクタは、ユーザによるメニュー表示指示を受けても、操作メニューを表示できない。すなわち、ユーザは、照明モードで動作中の照明兼用プロジェクタを、表示される操作メニューに従って操作することができない。
【０００６】
本発明は、このような問題を解決する表示装置及びシステム並びに制御方法を提示することを目的とする。
【課題を解決するための手段】
【０００７】
本発明に係る表示装置は、画像を表示する表示モードと周囲を照明する照明モードを選択できる表示手段と、ユーザ操作を受け入れる操作手段と、前記表示手段が前記照明モードで動作するときに、メニュー表示指示のユーザ操作を受けると、前記表示手段を前記表示モードに遷移させ、前記メニュー表示指示に応じた所定のメニューを表示させる制御手段とを有することを特徴とする。
【発明の効果】
【０００８】
本発明によれば、照明装置としても利用可能なできる表示装置が、照明モードで動作中に操作メニュー表示指示を受けた場合でも、操作のためのメニューを視認しながら操作できるようになる。
【図面の簡単な説明】
【０００９】
【図１】本発明の一実施例の概略構成ブロック図である。
【図２】本実施例の基本動作のフローチャートである。
【図３】本実施例の利用状況の模式図である。
【図４】図３に示す利用状況でのメニュー表示の動作フローチャートである。
【図５】実施例２の利用状況の模式図である。
【図６】図５に示す利用状況でのメニュー表示の動作フローチャートである。
【図７】操作メニューを表示するプロジェクタの決定方法を説明する模式図である。
【図８】操作メニューを表示するプロジェクタの決定方法のフローチャートである。
【図９】実施例３のメニュー表示の動作フローチャートである。
【図１０】実施例４のメニュー表示の動作フローチャートである。
【図１１】実施例４でのメニュー表示例を示す図である。
【図１２】実施例５のメニュー表示の動作フローチャートである。
【図１３】実施例６のメニュー表示例を示す図である。
【発明を実施するための形態】
【００１０】
以下、図面を参照して、本発明の実施例を詳細に説明する。本発明は、以下に説明する実施例に限定されない。
【００１１】
本発明に係る表示装置の一例として、透過型液晶パネルを用いた表示機能と照明機能を具備する照明兼用プロジェクタを用いたシステムについて説明する。しかし、本発明は、表示デバイスとして透過型液晶パネルを用いたプロジェクタに限らず、ＤＬＰ、ＬＣＯＳ（反射型液晶）パネルなどの表示デバイスを用いたどのようなものであっても適用可能である。また、液晶プロジェクタには、単板式、３板式などが一般に知られているが、どちらの方式であっても良い。
【００１２】
本実施例の照明兼用プロジェクタは、表示モードと照明モードを切り替え可能な照明兼用表示装置の一例である。本実施例の照明兼用プロジェクタは、表示モード時には、表示するべき画像に応じて、液晶素子の光の透過率を制御して、液晶素子を透過した光源からの光をスクリーンに投影することで、画像をユーザに提示する。また、照明モードでの動作中は光拡散装置の拡散率を制御し、光を拡散させ、照明として用いることができる。
【００１３】
以下、このような液晶プロジェクタに適用した本発明の実施例を説明する。
【実施例１】
【００１４】
図１は、本実施例の照明兼用プロジェクタ（以下、プロジェクタと略す）の概略構成ブロック図である。
【００１５】
図１にプロジェクタ１００は、ＣＰＵ１１０、ＲＯＭ１１１、ＲＡＭ１１２、操作部１１３、画像入力部１３０及び画像処理部１４０を有する。さらに、プロジェクタ１００は、液晶制御部１５０、液晶素子１５１Ｒ，１５１Ｇ，１５１Ｂ、光源制御部１６０、光源１６１、色分離部１６２、色合成部１６３、光学系制御部１７０、投影光学系１７１、光拡散制御部１７２及び光拡散部１７３を有する。さらに、プロジェクタ１００は、記録再生部１９１、記録媒体１９２、通信部１９３、撮像部１９４、表示制御部１９５、表示部１９６及び電源部１９７を有する。
【００１６】
ＣＰＵ１１０は、プロジェクタ１００の各部を制御する。ＲＯＭ１１１は、ＣＰＵ１１０で実行される制御プログラムを記憶する。ＲＡＭ１１２は、ＣＰＵ１１０のワークメモリとして一時的に制御プログラムやデータを格納する。また、ＣＰＵ１１０は、記録再生部１９１により記録媒体１９２から再生された静止画データや動画データを一時的にＲＡＭ１１２に記憶し、ＲＯＭ１１１に記憶されたプログラムを用いて、それぞれの画像や映像を再生処理できる。ＣＰＵ１１０は、通信部１９３より受信した静止画データや動画データを一時的にＲＡＭ１１２に記憶し、ＲＯＭ１１１に記憶されたプログラムを用いて、それぞれの画像や映像を再生することできる。また、ＣＰＵ１１０は、撮像部１９４により得られた画像や映像を一時的にＲＡＭ１１２に記憶し、ＲＯＭ１１１に記憶されたプログラムを用いて、静止画データや動画データに変換して記録媒体１９２に記録させることもできる。
【００１７】
操作部１１３は、ユーザの指示を受け付け、操作部１１３へ操作に応じた指示信号をＣＰＵ１１０に送信する。操作部１１３は、例えば、スイッチやダイヤル、及び表示部１９６上に設けられたタッチパネルなどからなる。操作部１１３は、リモコンからの無線信号を受信し、受信信号に基づいて所定の指示信号をＣＰＵ１１０に送信する信号受信部（赤外線受信部など）を含む。ＣＰＵ１１０は、操作部１１３や通信部１９３から入力される制御信号に従い、プロジェクタ１００の各部を制御する。
【００１８】
画像入力部１３０は、外部装置から映像信号を入力する手段であり、例えば、コンポジット端子、Ｓ映像端子、Ｄ端子、コンポーネント端子、アナログＲＧＢ端子、ＤＶＩ−Ｉ端子、ＤＶＩ−Ｄ端子またはＨＤＭＩ（登録商標）端子等を含む。画像入力部１３０は、アナログ映像信号をデジタル映像信号に変換する変換手段を有する。画像入力部１３０は、入力した映像信号を画像処理部１４０に送信する。画像入力部１３０は、通信ケーブルを介して映像信号を外部装置から受信するものであってもよく、無線通信により外部装置から映像信号を受信するものであっても良い。外部装置は、映像信号を出力できるものであれば、パーソナルコンピュータ、カメラ、携帯電話、スマートフォン、ハードディスクレコーダ又はゲーム機などであってもよい。
【００１９】
画像処理部１４０は、画像入力部１３０により入力された映像信号に対して、フレーム数、画素数及び画像形状などの変更処理を行って液晶制御部１５０に供給する。画像処理部１４０は例えば、画像処理用のマイクロプロセッサからなる。画像処理部１４０の一部または全部の機能を、ＣＰＵ１１０上で実行されるプログラムで代替しても良い。画像処理部１４０は、フレーム間引き処理、フレーム補間処理、解像度変換処理及び歪み補正処理（キーストン補正処理）等の処理を実行可能である。また、画像処理部１４０は、画像入力部１３０から受信した映像信号以外にも、ＣＰＵ１１０によって再生された画像や映像に対して前述の変更処理を施すこともできる。
【００２０】
液晶制御部１５０は、画像処理部１４０から供給される１フレームの映像信号に応じて、液晶素子（表示手段）１５１Ｒ，１５１Ｇ，１５１Ｂの画素単位の透過率を制御する。液晶制御部１５０は、画像処理部１４０で処理された映像信号のＲ（赤色）信号に応じて液晶素子１５１Ｒを駆動し、Ｇ（緑色）信号に応じて液晶素子１５１Ｇを駆動し、Ｂ（青色）信号に応じて液晶素子１５１Ｂを駆動する。色分離部１６２は、光源１６１からの白色照明光を赤色光、緑色光及び青色光に分離し、分離された照明光を液晶素子１５１Ｒ，１５１Ｇ，１５１Ｂに供給する。これにより、液晶素子１５１Ｒは、表示対象となるＲＧＢ画像の赤色画像を表示し、液晶素子１５１Ｇは、表示対象となるＲＧＢ画像の緑色画像を表示し、液晶素子１５１Ｂは、表示対象となるＲＧＢ画像の青色画像を表示する。液晶素子１５１Ｒ，１５１Ｇ，１５１Ｂはそれぞれ、色分離部１６２で分離された照明光を空間強度変調してそれぞれの色の光学画像を生成する光変調手段である。
【００２１】
液晶制御部１５０による液晶素子１５１Ｒ、１５１Ｇ、１５１Ｂの具体的な制御動作と、液晶素子１５１Ｒ、１５１Ｇ、１５１Ｂの構成については、後述する。
【００２２】
光源制御部１６０は、光源１６１がオンまたはオフとなるように制御し、光源１６１がオンである場合における光量を制御する。光源１６１は、液晶素子１５１Ｒ，１５１Ｇ，１５１Ｂの照明光を生成する。光源１６１は、例えば、ハロゲンランプ、キセノンランプ又は高圧水銀ランプなどを含む。光源１６１の出力光は、色分離部１６２に供給される。光源１６１の出力光は、色分離部１６２によって赤色用、緑色用及び青色用に分離または分割され、各分離光が液晶素子１５１Ｒ，１５１Ｇ，１５１Ｂに入射する。色分離部１６２は、光源１６１の出力光を赤色（Ｒ）、緑色（Ｇ）及び青色（Ｂ）に分離する素子であり、例えば、ダイクロイックミラーやプリズムなどを含む。なお、光源１６１として、各色に対応する光を出力するＬＥＤ等を使用する場合、色分離部１６２は不要となる。
【００２３】
色合成部１６３は、液晶素子１５１Ｒ，１５１Ｇ，１５１Ｂの透過光を合成する。これにより、表示対象となる画像の本来の色を示す光学画像が生成される。色合成部１６３は、液晶素子１５１Ｒ、１５１Ｇ、１５１Ｂを透過した赤色（Ｒ）、緑色（Ｇ）、青色（Ｂ）の光学画像を空間的に合成する素子であり、例えば、ダイクロイックミラーやプリズムなどを含む。色合成部１６３により合成された光学画像はフルカラーの画像であり、投影光学系１７１及び光拡散部１７３を通過して不図示のスクリーンに投影される。
【００２４】
光拡散部１７３は、投影モードでは、単に入射光をそのまま出力する透明板として機能し、照明モードでは、投影光学系１７１からの光を拡散する拡散板として機能する。光拡散制御部１７２は光拡散部１７３の通過特性と拡散の程度を制御できる。なお、照明モードでは、ＣＰＵ１１０は、液晶制御部１５０により液晶素子１５１Ｒ、１５１Ｇ、１５１Ｂの画像表示域全体を所定透過率に制御する。
【００２５】
光拡散部１７３は例えば、透過型のリバースモードＰＤＬＣ(高分子分散液晶)装置からなる。リバースモードＰＤＬＣ装置は、光を透過する性質をもつ一対の電極と、その電極間に挟まれるリバースモードＰＤＬＣ層とからなる。電極間に電位差がない場合、リバースモードＰＤＬＣ層は光を透過するので、光拡散部１７３は、投影光学系１７１から入射する光を透過する。他方、電極間に所定の電位差が与えられた場合、リバースモードＰＤＬＣ層は、電極間の電位差に応じた拡散度で入射光を拡散し、光拡散部１７３は、投影光学系１７１から入射する光を拡散する。例えば、光拡散制御部１７２は、光拡散部１７３の電極間に印加する電位を、表示モードではゼロ、照明モードでは印加可能な際で遺伝に以下に制御する。
【００２６】
電極間に配置するのは通常のＰＤＬＣ層で問題ないが、リバースモードＰＤＬＣ層が光を透過させる際の透明度は、通常のＰＤＬＣ層が光を透過させる際の透明度よりも高い。この観点では、リバースモードＰＤＬＣ層を用いる方が好ましい。
【００２７】
光拡散部１７３としては、光源１６１の出力光が結像点を持たない様に拡散する部材であればよく、投影または照明の対象物上で結像しない様にする例えばフォーカスレンズの様なものであってもよい。すなわち、ＰＤＬＣに限定されない。
【００２８】
投影光学系１７１は、色合成部１６３から出力された合成光をスクリーンに投影する。投影光学系１７１は、複数のレンズ及びレンズ駆動用アクチュエータを含み、レンズをアクチュエータにより駆動することで、スクリーンに投影されるべき投影画像の拡大、縮小及び焦点調整などを行う。光学系制御部１７０は、投影光学系１７１の倍率及び焦点を制御する。
【００２９】
電源部１９７は、プロジェクタ１００の各部に不図示の電源回路を介して電力を供給する。また、電源部１９７は外部から電力供給を受ける受電端子を含む。受電端子は照明機器用給電端子の口金用ソケットに固定される形状であり、口金用ソケットから電力の供給を受けることができる。なお、受電端子は、通常の給電端子としてコンセントに接続されるプラグであってもよい。この場合、プロジェクタ１００は、受電端子であるプラグとの間を電気的に接続するケーブルを具備していてもよい。
【００３０】
記録再生部１９１は、記録媒体１９２から静止画データや動画データを再生し、撮像部１９４により得られた画像や映像の静止画データや動画データをＣＰＵ１１０から受信して記録媒体１９２に記録する。記録再生部１９１はまた、通信部１９３により受信される静止画データや動画データを記録媒体１９２に記録する。記録媒体１９２は、静止画データ、動画データ、及びプロジェクタ１００を制御する制御データなどを記録できる。記録媒体１９２は、プロジェクタ１００に着脱可能な記録媒体であっても、プロジェクタ１００に内蔵された記録媒体であってもよい。
【００３１】
通信部１９３は外部機器と通信し、外部機器から制御信号、静止画データ及び動画データなどを受信する。通信部１９３は例えば、無線ＬＡＮ、有線ＬＡＮ、ＵＳＢ又はＢｌｕｅｔｏｏｔｈ（登録商標）などを利用でき、通信方式は特定のものに限定されない。画像入力部１３０の端子が例えばＨＤＭＩ（登録商標）端子である場合、通信部１９３は、その端子を介してＣＥＣ通信を行うものであっても良い。外部機器は例えば、パーソナルコンピュータ、カメラ、携帯電話、スマートフォン、ハードディスクレコーダ、ゲーム機又はリモコンなどである。
【００３２】
撮像部１９４は、投影光学系１７１により不図示のスクリーンに投影された画像を撮影する。撮像部１９４は、撮影画像データをＣＰＵ１１０に送信する。ＣＰＵ１１０は、撮像部１９４からの画像データを一時的にＲＡＭ１１２に記憶し、ＲＯＭ１１１に記憶されたプログラムに基づいて、静止画データ又は動画データに変換する。撮像部１９４は、光学像を画像信号に変換する撮像素子、被写体の光学像を撮像素子に入射するレンズ、レンズを駆動するアクチュエータ、アクチュエータを制御するマイクロプロセッサ、撮像素子の出力画像信号をデジタル信号に変換するＡＤ変換部などを含む。なお、撮像部１９４は、例えば、不図示のスクリーンとは逆方向の視聴者側を撮影するものであっても良い。
【００３３】
表示制御部１９５は、プロジェクタ１００を操作するための操作画面やスイッチアイコン等の画像を表示部１９６に表示させる。表示部１９６は、例えば、液晶ディスプレイ、ＣＲＴディスプレイ、有機ＥＬディスプレイまたはＬＥＤディスプレイであっても良い。また、表示部１９６は、特定のボタンをユーザに認識可能に掲示するために、各ボタンに対応するＬＥＤ等を発光させるものであってもよい。
【００３４】
画像処理部１４０、液晶制御部１５０、光源制御部１６０、光学系制御部１７０、記録再生部１９１及び表示制御部１９５は、これらの各ブロックと同様の処理を行うことのできる単数または複数のマイクロプロセッサでも実現されうる。または、例えば、ＲＯＭ１１１に記憶されたプログラムによって、ＣＰＵ１１０が各ブロックと同様の処理を実行しても良い。
【００３５】
図２を参照して、プロジェクタ１００の基本動作を説明する。図２は、プロジェクタ１００の基本的な制御動作を示すフローチャートである。ＣＰＵ１１０が、ＲＯＭ１１１に記憶されたプログラムに基づいて、各機能ブロックを制御することにより、図２に示す制御を実現する。操作部１１３または不図示のリモコンによりユーザがプロジェクタ１００の電源のオンを指示することにより、ＣＰＵ１１０は、電源部１９７からプロジェクタ１００の各部に電源を供給し、図２に示す制御を開始する。
【００３６】
Ｓ２０１で、ＣＰＵ１１０は、ＲＡＭ１１２に記録されている現在の動作モードを読み取り、動作モードに応じて処理を分岐する。動作モードが照明モードの場合、ＣＰＵ１１０は、Ｓ２０２に移行し、表示モードの場合、Ｓ２１２に進む。
【００３７】
Ｓ２０２で、ＣＰＵ１１０は、照明開始処理を実行する（Ｓ２０２）。具体的には、ＣＰＵ１１０は、光源制御部１６０による光源１６１の点灯制御、液晶制御部１５０による液晶素子１５１Ｒ、１５１Ｇ、１５１Ｂの駆動制御、及び光拡散制御部１７２による光拡散部１７３の拡散制御を開始する。ＣＰＵ１１０はまた、画像処理部１４０に動作条件を設定する。
【００３８】
Ｓ２０３で、ＣＰＵ１１０は、ユーザ操作の有無を判定する。ユーザによる操作部１１３やリモコンの操作が無い場合、ＣＰＵ１１０は、Ｓ２０７に進む。ユーザ操作が行われた場合、Ｓ２０４で、ＣＰＵ１１０は、表示モードへの遷移操作か否か判定する。表示モードへの遷移操作であった場合（Ｓ２０４）、ＣＰＵ１１０はＲＡＭ１１２に動作モードが表示モードであることを書き込み、Ｓ２０１に戻る。表示モードが設定されているので、Ｓ２０１に戻ったＣＰＵ１１０は、Ｓ２１２に進む。表示モードへの遷移操作でない場合（Ｓ２０４）、Ｓ２０５で、ＣＰＵ１１０は、終了操作か否かを判定する。
【００３９】
終了操作であった場合（Ｓ２０５）、Ｓ２１１で、ＣＰＵ１１０は、照明終了処理を実行し、図２に示すフローを終了する。照明終了処理は、具体的には、光源制御部１６０による光源１６１の消灯制御、液晶制御部１５０による液晶素子１５１Ｒ、１５１Ｇ、１５１Ｂの駆動停止制御、及び、必要な設定のＲＯＭ１１１への保存などからなる。
【００４０】
ユーザ操作が終了操作でなかった場合（Ｓ２０５）、Ｓ２０６で、ＣＰＵ１１０は、ユーザ操作の内容に対応したユーザ処理を実行する。例えば、そのようなユーザ処理には、設置設定の変更、入力信号の変更及び画像処理の変更などがある。
【００４１】
ユーザ操作が無い場合（Ｓ２０３）、Ｓ２０７で、ＣＰＵ１１０は、通信部１９３からコマンド受信があったか否かを判定する。コマンド受信が無かった場合（Ｓ２０７）、ＣＰＵ１１０は、Ｓ２０３に戻る。コマンド受信があった場合（Ｓ２０７）、Ｓ２０８で、ＣＰＵ１１０は、表示モードへの遷移操作のコマンドか否かを判定する。表示モードへの遷移操作のコマンドであった場合（Ｓ２０８）、ＣＰＵ１１０はＲＡＭ１１２に動作モードが表示モードであることを書き込み、Ｓ２０１に戻る。表示モードへの遷移操作のコマンドでない場合（Ｓ２０８）、Ｓ２０９で、ＣＰＵ１１０は、終了操作のコマンドか否かを判定する。終了操作のコマンドであった場合、ＣＰＵ１１０は、Ｓ２１１に進む。終了操作のコマンドではなかった場合、Ｓ２１０で、ＣＰＵ１１０は、受信したコマンドの内容に対応した処理を実行する。そのような処理には例えば、設置設定、入力信号設定、画像処理設定及び状態取得などがある。
【００４２】
表示モードの場合（Ｓ２０１）、Ｓ２１２で、ＣＰＵ１１０は、投影開始処理を実行する。具体的には、ＣＰＵ１１０は、光源制御部１６０による光源１６１の点灯制御、液晶制御部１５０による液晶素子１５１Ｒ、１５１Ｇ、１５１Ｂの駆動制御、及び光拡散制御部１７２による光拡散部１７３の拡散制御を開始する。ＣＰＵ１１０はまた、画像処理部１４０に動作条件を設定する。
【００４３】
Ｓ２１３で、ＣＰＵ１１０は、画像入力部１３０からの入力信号に変化があったか否かを判定する。入力信号に変化が無かった場合（Ｓ２１３）、ＣＰＵ１１０は、Ｓ２１５に進み、入力信号に変化があった場合（Ｓ２１３）、ＣＰＵ１１０は、Ｓ２１４に進む。Ｓ２１４で、ＣＰＵ１１０は、入力切替処理を実行し、Ｓ２１５に進む。入力切替処理により、画像処理部１４０が、画像入力部１３０による入力信号の解像度及びフレームレートなどを検知して、それに適したタイミングで入力画像信号をサンプリングし、必要な画像処理を適用する。画像処理部１４０によりこのように処理された画像が色成分毎に液晶素子１５１Ｒ，１５１Ｇ，１５１Ｂに表示され、投影光学系１７１によりスクリーンに投影される。
【００４４】
Ｓ２１５で、ＣＰＵ１１０は、ユーザ操作があったか否かを判定する。ユーザによる操作部１１３やリモコンの操作が無かった場合、ＣＰＵ１１０は、Ｓ２１９に進み、ユーザ操作が行われた場合、Ｓ２１６で、照明モードへの遷移操作か否か判定する。表示モードへの遷移操作で有った場合（Ｓ２１６）、ＣＰＵ１１０はＲＡＭ１１２に動作モードが表示モードであることを書き込み、Ｓ２０１に戻る。表示モードへの遷移操作でない場合（Ｓ２１６）、Ｓ２１７で、ＣＰＵ１１０は、終了操作か否かを判定する。
【００４５】
ユーザ操作が終了操作であった場合（Ｓ２１７）、Ｓ２２３で、ＣＰＵ１１０は、投影終了処理を実行し、図２に示すフローを終了する。具体的には、ＣＰＵ１１０は、光源制御部１６０により光源１６１を消灯させ、液晶制御部１５０により液晶素子１５１Ｒ、１５１Ｇ、１５１Ｂの駆動を停止させ、必要な設定をＲＯＭ１１１に保存する。
【００４６】
ユーザ操作が終了操作でなかった場合（Ｓ２１７）、Ｓ２１８で、ＣＰＵ１１０は、ユーザ操作の内容に対応したユーザ処理を実行し、Ｓ２１９に進む。そのようなユーザ処理には、例えば、設置設定の変更、入力信号の変更、画像処理の変更及び情報の表示などがある。
【００４７】
Ｓ２１９で、ＣＰＵ１１０は、通信部１９３からコマンド受信があったか否かを判定する。コマンド受信が無かった場合（Ｓ２１９）、ＣＰＵ１１０は、Ｓ２１３に戻る。コマンド受信があった場合（Ｓ２１９）、Ｓ２２０で、ＣＰＵ１１０は、表示モードへの遷移操作のコマンドか否かを判定する。表示モードへの遷移操作のコマンドであった場合（Ｓ２２０）、ＣＰＵ１１０は、ＲＡＭ１１２に動作モードが表示モードであることを書き込み、Ｓ２０１に戻る。表示モードへの遷移操作のコマンドでない場合、Ｓ２２１で、ＣＰＵ１１０は、終了操作のコマンドか否かを判定する。終了操作のコマンドであった場合、ＣＰＵ１１０は、Ｓ２２３に進む。終了操作のコマンドではない場合、Ｓ２２２で、ＣＰＵ１１０は、受信したコマンドの内容に対応したコマンド処理を実行する。そのような処理には例えば、設置設定、入力信号設定、画像処理設定及び状態取得などがある。
【００４８】
プロジェクタ１００は、画像入力部１３０により入力された画像及び映像のほか、記録再生部１９１により記録媒体１９２から読み出された静止画データ及び動画データの画像及び映像を投影表示できる。プロジェクタ１００はまた、通信部１９３から受信した静止画データや動画データの画像及び映像を投影表示することもできる。
【００４９】
図３及び図４を参照して、単体で使用されるプロジェクタ１００の動作モードを照明モードから表示モードに切り替える制御動作を説明する。
【００５０】
図３は、プロジェクタ１００が天井に組み付けられ、室内のユーザがリモコン１０１によりプロジェクタ１００の動作を制御する様子の模式図を示す。プロジェクタ１００は、図示しない受電端子を介して、図示しない照明用ソケットから電力供給を受けている。図３では、プロジェクタ１００は照明モードで動作しており、照明光を下方向、則ち床方向に広角で出力している。
【００５１】
リモコン１０１は、赤外線通信、ＢｌｕｅＴｏｏｔｈまたは無線ＬＡＮにより操作指示をプロジェクタ１００に送信する手段、またはそのような操作手段を有するタブレット端末もしくはスマートフォンであある。
【００５２】
図４は、プロジェクタ１００がメニュー表示指示を受けた際の処理手順を示すフローチャートである。ＣＰＵ１１０は、図４に示す処理手順を実現するプログラムを実行し、プロジェクタ１００の各部を制御することで、図４に示す処理手順を実現する。
【００５３】
ユーザが、リモコン１０１（または操作部１１３）により照明モードでの起動または照明モードへの遷移を指示すると、プロジェクタ１００のＣＰＵ１１０は、図４に示す処理をスタートする。
【００５４】
Ｓ４０１で、ＣＰＵ１１０は、ユーザの指示に応じて、照明モードへの遷移を各部に指示する。例えば、ＣＰＵ１１０は、光拡散制御部１７２を制御して、光拡散部１７３の拡散率を所定の値に変更する。照明モードでの動作中は、Ｓ４０２で、ＣＰＵ１１０は、操作部１１３やリモコン１０１を介したメニュー表示指示を待機する。
【００５５】
メニュー表示指示を受信すると（Ｓ４０２）、Ｓ４０３で、ＣＰＵ１１０は、表示モードへの遷移を各部に指示する。例えば、ＣＰＵ１１０は、光拡散制御部１７２に指示して、光拡散部１７３の光拡散率を表示モード時の所定光拡散率に変更する。Ｓ４０４で、ＣＰＵ１１０は、画像処理部１４０にメニュー画面を生成させ、液晶素子１５１Ｒ，１５１Ｇ，１５１Ｂに表示させ、スクリーンに投影させる。これにより、メニュー画面が、ＯＳＤ（On Screen Display）によりスクリーンに投影表示される。
【００５６】
このように、照明モードにあっても、メニュー表示指示により表示モードに遷移し、メニュー画面を表示するので、ユーザは、投影表示されるメニュー画面を視認してプロジェクタ１００ａを操作できる。
【実施例２】
【００５７】
本発明に係る表示システムを説明する。複数のプロジェクタ１００を連係させてシステム化している場合、目的のプロジェクタの動作モードを、連係動作している１以上の他のプロジェクタのどれかを使って操作できる。そのように構成した実施例を説明する。
【００５８】
図５は、本実施例の使用状態を示す模式図である。プロジェクタ１００ａ，１００ｂ，１００ｃが天井に設置され、プロジェクタ１００ａは照明モードになっており、プロジェクタ１００ｂ，１００ｃは表示モードになっている。プロジェクタ１００ａ，１００ｂ，１００ｃは、基本的にプロジェクタ１００と同じ構成と機能を有し、更に、互いに操作メニュー及び制御信号を送受信する通信機能を有する。プロジェクタ１００ａ，１００ｂ，１００ｃは、有線ＬＡＮケーブルまたは無線ＬＡＮを介して接続する。
【００５９】
ユーザがリモコン１０１を使って、プロジェクタ１００ａを照明モードから表示モードに切り替える処理を説明する。図６は、本実施例の動作フローチャートを示す。リモコン１０１は、この実施例では、プロジェクタ１００ａ，１００ｂ，１００ｃを操作できる。照明モードでは、プロジェクタ１００ａは、プロジェクタ１００ａの操作部１１３またはリモコン１０１によるユーザからの指示を待機している。
【００６０】
図６は、プロジェクタ１００ａがメニュー表示指示を受けた際の処理手順を示すフローチャートである。プロジェクタ１００ａのＣＰＵ１１０が、図６に示す処理手順を実現するプログラムを実行し、プロジェクタ１００ａの各部及びプロジェクタ１００ｂを制御することで、図６に示す処理手順を実現する。
【００６１】
Ｓ６０１で、プロジェクタ１００ａのＣＰＵ１１０は、プロジェクタ１００ａの操作部１１３またはリモコン１０１によるユーザからの指示を待つ。メニュー表示の指示を受信すると（Ｓ６０１）、プロジェクタ１００ａのＣＰＵ１１０は、Ｓ６０２に進む。
【００６２】
Ｓ６０２で、プロジェクタ１００ａのＣＰＵ１１０は、通信部１９３を介して、同じネットワーク内に存在する他の表示装置（ここでは、プロジェクタ１００ｂ）の状態を取得する。他の表示装置は、ここではプロジェクタ１００ｂだが、照明兼用プロジェクタに限らず、投影機能のみを持つプロジェクタ、ディスプレイ、タブレット端末またはスマートフォンなどでも良い。表示装置の状態とは、投影機能のみを持つプロジェクタ、タブレット端末、スマートフォンまたはディスプレイなどであれば、電源オン状態か否かまたは省電力モードか否かなど、表示画面にメニュー表示が可能な状態であるか否かである。他の表示装置が照明兼用プロジェクタである場合、以上の情報に加え、表示モードと照明モードのいずれのモードで動作しているかという情報も含む。他の表示装置の状態を取得すると（Ｓ６０２）、プロジェクタ１００ａのＣＰＵ１１０は、Ｓ６０３に進む。
【００６３】
Ｓ６０３で、プロジェクタ１００ａのＣＰＵ１１０は、Ｓ６０２で取得した情報に基づいて、プロジェクタ１００ａの操作メニューを表示可能な状態にある表示装置が存在するか否かを判定する。そのような表示装置が存在しない場合（Ｓ６０３）、プロジェクタ１００ａのＣＰＵ１１０は、Ｓ６０４に進み、存在する場合（Ｓ６０３）、Ｓ６０４に進む。
【００６４】
Ｓ６０４で、プロジェクタ１００ａのＣＰＵ１１０は、表示モードへの遷移をプロジェクタ１００ａの各部に指示する。例えば、ＣＰＵ１１０は、光拡散制御部１７２に指示して、光拡散部１７３の光拡散率を表示モード時の所定光拡散率に変更する。Ｓ６０５で、プロジェクタ１００ａのＣＰＵ１１０は、画像処理部１４０にメニュー画面を生成させ、液晶素子１５１Ｒ，１５１Ｇ，１５１Ｂに表示させ、スクリーンに投影させる。これにより、メニュー画面が、ＯＳＤ（On Screen Display）によりスクリーンに投影表示される。プロジェクタ１００ａのＣＰＵ１１０は、図６に示す処理を終了する。
【００６５】
Ｓ６０６で、プロジェクタ１００ａのＣＰＵ１１０は、プロジェクタ１００ａの操作メニューを表示可能な状態にある表示装置が複数存在するか否かを判定する。複数存在する場合（Ｓ６０６）、プロジェクタ１００ａのＣＰＵ１１０は、Ｓ６０７に進み、単数の場合（Ｓ６０６）、Ｓ６０８に進む。Ｓ６０７で、プロジェクタ１００ａのＣＰＵ１１０は、複数の表示装置から１台を選択し、Ｓ６０８に進む。Ｓ６０７の処理の詳細は後述する。
【００６６】
Ｓ６０８で、プロジェクタ１００ａのＣＰＵ１１０は、通信部１９３を介して対象の表示装置にプロジェクタ１００ａのメニューを表示するよう指示し、図６に示す処理を終了する。
【００６７】
Ｓ６０７の選択処理を、図７及び図８を参照して説明する。図７（ａ），（ｂ）は、プロジェクタ１００ａ、１００ｂ，１００ｃとリモコン１０１の配置を示す。図８（ａ），（ｂ）は、プロジェクタ１００ｂ，１００ｃから１台を選択する処理（Ｓ６０７）の詳細を示すフローチャートである。図７（ａ）と図８（ａ）は、プロジェクタ１００ａからの距離に基づきプロジェクタ１００ｂ，１００ｃの一方を選択する処理の説明図である。図７（ｂ）と図８（ｂ）は、リモコン１０１の向きに基づきプロジェクタ１００ｂ，１００ｃの一方を選択する処理の説明図である。
【００６８】
プロジェクタ１００ａは、照明モードで動作しており、ユーザがリモコン１０１によりメニュー表示を指示しているプロジェクタである。プロジェクタ１００ｂ、１００ｃは表示モードで動作しており、それぞれ投影面７００ｂ、７００ｃに画像を投影している。
【００６９】
図７（ａ）と図８（ａ）を参照し、操作メニューを表示するプロジェクタを距離基準で決定する処理を説明する。
【００７０】
Ｓ８０１で、プロジェクタ１００ａのＣＰＵ１１０が、部屋の中における自装置の位置座標（Ｘａ、Ｙａ）を取得する。位置座標（Ｘａ、Ｙａ）は、部屋の隅を原点とするＸＹ座標系における座標である。位置座標（Ｘａ、Ｙａ）は、部屋への設置時にプロジェクタ取り付け位置から予めユーザが算出し、操作部１１３によりＲＡＭ１１２に書き込んでおいても良い。予め撮像部１９４を用いて室内を撮影し、三次元情報を計算し取得しても良い。
【００７１】
Ｓ８０２で、プロジェクタ１００ａのＣＰＵ１１０は、通信部１９３を介して、他の表示装置（ここでは、プロジェクタ１００ｂ，１００ｃ）の設置位置を取得する。他の表示装置（プロジェクタ１００ｂ、１００ｃ）も、Ｓ８０１で説明したのと同様の方法で自装置の設置位置を取得しており、プロジェクタ１００ａからの要求に応じて設置位置の位置座標をプロジェクタ１００ａに送信する。
【００７２】
Ｓ８０３で、プロジェクタ１００ａのＣＰＵ１１０は通信部１９３を介して、他の表示装置（ここでは、プロジェクタ１００ｂ，１００ｃ）の投影面７００ｂ、７００ｃの重心位置を取得する。プロジェクタ１００ｂ、１００ｃは、ＲＯＭ１１１に予め記憶されるテストパターンまたは画像入力部１３０に入力されるテストパターンを壁（スクリーン）に投影し、撮像部１９４により壁上のテストパターンを撮像する。プロジェクタ１００ｂ、１００ｃは、撮像されたテストパターンから投影面７００ｂ、７００ｃの三次元位置を計算し、投影面７００ｂ、７００ｃの重心を計算し、ＸＹ平面に射影する。部屋の隅を原点とするＸＹ座標系での重心位置が、図７（ａ）に示す位置座標（Ｘｂ、Ｙｂ），（Ｘｃ、Ｙｃ）である。なお、ＸＹ空間に射影せずに三次元座標のまま扱ってもよい。プロジェクタ１００ｂ、１００ｃは、算出された投影面の重心位置座標（Ｘｂ、Ｙｂ），（Ｘｃ、Ｙｃ）をプロジェクタ１００ａに送信する。
【００７３】
Ｓ８０４で、プロジェクタ１００ａのＣＰＵ１１０は、Ｓ８０１で取得した自装置の位置座標（Ｘａ、Ｙａ）と、Ｓ８０３で取得した、他装置の投影面重心位置座標（Ｘｂ、Ｙｂ），（Ｘｃ、Ｙｃ）とから、自装置に投影面の重心が一番近い表示装置を選択する。｛（Ｘａ−Ｘｂ）２＋（Ｙａ−Ｙｂ）２｝１／２が、｛（Ｘａ−Ｘｃ）２＋（Ｙａ−Ｙｃ）２｝１／２より小さい場合、プロジェクタ１００ｂの投影面が近いことになるので、プロジェクタ１００ｂが操作メニュー表示用に選択される。
【００７４】
自装置の位置と他装置の投影面重心位置との間の距離により、操作メニューを表示する装置を決定したが、自装置の位置と他装置の位置との距離により操作メニューを表示する装置を決定しても良い。
【００７５】
図７（ｂ）と図８（ｂ）を参照し、操作メニューを表示するプロジェクタをリモコン１０１の方向に従い決定する処理を説明する。
【００７６】
Ｓ８１１で、プロジェクタ１００ａのＣＰＵ１１０が、リモコン１０１の向いている方向１０１ｄと壁の交点座標（Ｘｄ，Ｙｄ）を算出する。交点座標（Ｘｄ、Ｙｄ）は、リモコン１０１の向き１０１ｄと壁の交点を、部屋の隅を原点とするＸＹ座標系における座標で表される。具体的には、リモコン１０１がレーザ光を出射し、プロジェクタ１００ａの撮像部１９４が当該レーザ光の壁に当たるスポットを撮像し、ＣＰＵ１１０が当該スポットから位置（Ｘｄ，Ｙｄ）を算出する。プロジェクタ１００ａの撮像部１９４は、部屋全体を撮影できるような広角のカメラであるのが好ましい。
【００７７】
または、プロジェクタ１００ａ、１００ｂ、１００ｃの各撮像部１９４で撮影された画像からリモコン１０１の出力するレーザ光の方向を算出してもよい。または、リモコン１０１に変位センサまたは加速度センサ及びジャイロセンサを装備し、予め三次元位置が既知の位置にリモコン１０１を置いておく。そして、変位センサまたは加速度センサでリモコン１０１の位置を取得し、ジャイロセンサでリモコン１０１の向きを取得することで、壁に対するリモコン１０１の向きを算出しても良い。ＧＰＳ受信機をリモコンに装備して、リモコン１０１の位置を測定するようにしてもよい。
【００７８】
Ｓ８１２で、プロジェクタ１００ａのＣＰＵ１１０は、通信部１９３を介して、他の表示装置（ここでは、プロジェクタ１００ｂ，１００ｃ）の位置を取得する。この処理は、図８（ａ）のＳ８０２と同じでよい。
【００７９】
Ｓ８１３で、プロジェクタ１００ａのＣＰＵ１１０は通信部１９３を介して、他の表示装置（ここでは、プロジェクタ１００ｂ，１００ｃ）の投影面７００ｂ、７００ｃの重心位置座標（Ｘｂ、Ｙｂ），（Ｘｃ、Ｙｃ）を取得する。この処理は、図８（ａ）のＳ８０３と同じでよい。
【００８０】
Ｓ８１４で、プロジェクタ１００ａのＣＰＵ１１０は、リモコン１０１のスポット位置に投影面の重心が一番近い表示装置を選択する。具体的には、ＣＰＵ１１０は、Ｓ８１１で取得したリモコン１０１のスポット位置座標（Ｘｄ、Ｙｄ）とＳ８１３で取得した投影面重心位置座標（Ｘｂ、Ｙｂ），（Ｘｃ、Ｙｃ）とから、スポット位置に投影面の重心が一番近い表示装置を選択する。図７（ｂ）に示すように、｛（Ｘｄ−Ｘｂ）２＋（Ｙｄ−Ｙｂ）２｝１／２が、｛（Ｘｄ−Ｘｃ）２＋（Ｙｄ−Ｙｃ）２｝１／２より大きい場合、プロジェクタ１００ｃの投影面が近いことになるので、プロジェクタ１００ｃが操作メニュー表示用に選択される。
【００８１】
以上述べた処理では、リモコンの方向と壁の交点と他の装置の投影面重心位置の距離により判定を行ったが、リモコンの位置と、他の装置の位置の距離により判定を行ってもよい。
【００８２】
他の表示装置が、プロジェクタではなくタブレット端末またはスマートフォンなどの携帯表示装置であった場合、投影面７００ｂ，７００ｃに相当するのは、その携帯表示装置の表示面となる。
【００８３】
本実施例では、操作対象のプロジェクタが照明モードにあるときでも、操作メニューを表示可能な他の表示装置に操作メニューを表示させることができ、操作対象のプロジェクタを照明モードのままで操作メニューに基づき操作できるようになる。操作対象のプロジェクタを表示モードに遷移させ、操作メニューを表示する処理を用意しているので、操作メニューを表示可能な他の表示装置が無い場合でも、操作メニュー画面に基づく操作が可能になる。
【００８４】
また、操作メニューを表示する表示装置を、簡単なリモコン操作により決定できる。
【実施例３】
【００８５】
実施例２で説明したように複数のプロジェクタ１００ａ、１００ｂ，１００ｃを連係させてシステム化している場合の別の動作を説明する。この実施例では、目的のプロジェクタ１００ａ以外の他のプロジェクタ１００ｂ，１００ｃがいずれも操作メニューを表示出来ない動作状態であるときに、プロジェクタ１００ｂ，１００ｃの何れかで操作メニューを表示する。図９は、その動作の制御フローチャートを示す。目的のプロジェクタ１００ａのＣＰＵ１１０が、図９に示すフローチャートに対応するプログラムを実行することで、図９に示す動作または制御手順を実現する。なお、図９のＳ９０１〜Ｓ９０６の処理はそれぞれＳ６０１〜Ｓ６０３，Ｓ６０６〜Ｓ６０８の処理と同じなので、説明を省略する。
【００８６】
表示モードの他のプロジェクタが存在しない場合（Ｓ９０３）、Ｓ９０７で、プロジェクタ１００ａのＣＰＵ１１０は、表示可能でない状態のプロジェクタが複数存在するか否かを判定する。表示可能でない状態は、電源オフ、省電力モード及び照明モードでの動作中などの各状態を含む。表示可能でない状態のプロジェクタが複数存在する場合、プロジェクタ１００ａのＣＰＵ１１０はＳ９０８に進み、複数存在しない場合、唯一見つかった表示可能でないプロジェクタを表示対象のプロジェクタに設定して、Ｓ９０９に進む。
【００８７】
Ｓ９０８で、プロジェクタ１００ａのＣＰＵ１１０は、複数台存在する表示可能でない状態の表プロジェクタの中から、表示対象のプロジェクタを選択し、Ｓ９０９に進む。複数のプロジェクタから１台のプロジェクタを選択する方法として、図７及び図８を参照して説明した方法を適用する。
【００８８】
Ｓ９０９で、プロジェクタ１００ａのＣＰＵ１１０は、通信部１９３を介して表示対象のプロジェクタに表示モードへの遷移指示を送信し、Ｓ９１０に進む。Ｓ９１０で、プロジェクタ１００ａのＣＰＵ１１０は、通信部１９３を介して表示対象のプロジェクタにプロジェクタ１００ａのメニュー画面を表示するよう指示し、図９に示す処理を終了する。表示対象のプロジェクタは、プロジェクタ１００ａから送信されたメニュー画面を投影表示する。
【００８９】
他のプロジェクタの代わりに、タブレット端末、スマートフォンまたは平面ディスプレイ装置のような、外部からの画像を表示可能な表示装置でもよい。この場合、Ｓ９０９の処理は、表示モードへの遷移指示ではなく、電源オン指示など、表示画面にメニューを表示できる状態に遷移する指示とすればよい。
【００９０】
本実施例では、操作対象のプロジェクタが照明モードにあるときでも、操作メニューを表示可能な他の表示装置に操作メニューを表示させることができ、操作対象のプロジェクタを照明モードのままで操作メニューに基づき操作できるようになる。操作メニューを表示可能な他の表示装置が存在しない場合でも、遠隔制御により操作メニューを表示可能にするので、操作対象の照明兼用プロジェクタを照明モードのままで操作メニューに基づき操作できるようになる。
【００９１】
また、操作メニューを表示する表示装置を、簡単なリモコン操作により決定できる。
【実施例４】
【００９２】
プロジェクタ１００の光拡散部１７３に含まれる透過型のリバースモードＰＤＬＣ（高分子分散液晶）装置を、空間的に区分される複数の領域のそれぞれで互いに異なる拡散度を設定できるようにしてもよい。そのために、ＰＤＬＣ装置の空間的に区分される複数のそれぞれに電極対を設け、各電極対の印加電圧を制御可能にする。これにより、例えば、表示領域の一部を拡散光状態（照明状態）としつつ、残る領域で画像を投影表示させることが可能になる。
【００９３】
すなわち、本実施例のプロジェクタ１００は、表示モードと照明モードの他に、照明と投影表示を兼用するモード（照明兼表示モード）を具備する。この場合、照明モードで動作中にメニュー表示指示を受けると、照明兼表示モードに遷移することで、操作メニューを表示することが可能になる。
【００９４】
図１０は、プロジェクタ１００がメニュー表示指示を受けた際の処理手順を示すフローチャートである。ＣＰＵ１１０は、図１０に示す処理手順を実現するプログラムを実行し、プロジェクタ１００の各部を制御することで、図１０に示す処理手順を実現する。
【００９５】
ユーザが、操作部１１３またはリモコン１０１により照明モードでの起動または照明モードへの遷移を指示すると、ＣＰＵ１１０は、図１０に示す処理をスタートする。
【００９６】
Ｓ１００１で、ＣＰＵ１１０は、ユーザの指示に応じて、照明モードへの遷移を各部に指示する。例えば、ＣＰＵ１１０は、光拡散制御部１７２を制御して、光拡散部１７３の拡散率を所定の値に変更する。照明モードでの動作中は、Ｓ１００２で、ＣＰＵ１１０は、操作部１１３やリモコン１０１を介したメニュー表示指示を待機する。
【００９７】
メニュー表示指示を受信すると（Ｓ１００２）、Ｓ１００３で、ＣＰＵ１１０は、照明兼表示モードへの遷移を各部に指示する。例えば、ＣＰＵ１１０は、光拡散制御部１７２に指示して、光拡散部１７３の一部の光拡散率を表示モード時の所定光拡散率に変更させ、残りの部分を照明モードでのそれのままとする。
【００９８】
Ｓ１００４で、ＣＰＵ１１０は、光拡散部１７３の照明モードの光拡散率に相当する画面部分で画像処理部１４０にメニュー画面を生成させ、液晶素子１５１Ｒ，１５１Ｇ，１５１Ｂに表示させ、スクリーンに投影させる。これにより、メニュー画面が、光拡散部１７３の照明モード部分を通してＯＳＤ（On Screen Display）によりスクリーンに投影表示される。
【００９９】
図１１（ａ），（ｂ）は操作メニューの表示例を示す。図１１（ａ）では、表示領域１１００の左半分１１０１が照明モードのままで、右半分に操作メニュー１１０２が配置されている。図１１（ｂ）では、表示領域１１００の中央に操作メニュー１１０２が配置され、その周囲１１０１が照明モードのままである。
【０１００】
このように、本実施例では、照明と操作メニューの表示を同時に行えるので、ユーザは、照明領域で照明の状態を確認しながら照明に関するメニュー操作を行うことができる。また、照明部分が残るので、室内が過度に暗くなることを避けることができる。
【実施例５】
【０１０１】
照明モードで動作中にメニュー表示指示を受けた場合、表示モードで一定時間操作メニューを表示し、その後、照明モードに戻るようにした実施例を説明する。
【０１０２】
図１２は、この実施例のプロジェクタ１００がメニュー表示指示を受けた際の処理手順を示すフローチャートである。ＣＰＵ１１０は、図１２に示す処理手順を実現するプログラムを実行し、プロジェクタ１００の各部を制御することで、図１２に示す処理手順を実現する。
【０１０３】
ユーザが、操作部１１３またはリモコン１０１により照明モードでの起動または照明モードへの遷移を指示すると、ＣＰＵ１１０は、図１２に示す処理をスタートする。
【０１０４】
Ｓ１２０１で、ＣＰＵ１１０は、ユーザの指示に応じて、照明モードへの遷移を各部に指示する。例えば、ＣＰＵ１１０は、光拡散制御部１７２を制御して、光拡散部１７３の拡散率を所定の値に変更する。照明モードでの動作中は、Ｓ１２０２で、ＣＰＵ１１０は、操作部１１３やリモコン１０１を介したメニュー表示指示を待機する。
【０１０５】
メニュー表示指示を受信すると（Ｓ１２０２）、Ｓ１２０３で、ＣＰＵ１１０は、表示モードへの遷移を各部に指示する。例えば、ＣＰＵ１１０は、光拡散制御部１７２に指示して、光拡散部１７３の光拡散率を表示モード時の所定光拡散率に変更する。Ｓ１２０４で、ＣＰＵ１１０は、画像処理部１４０にメニュー画面を生成させ、液晶素子１５１Ｒ，１５１Ｇ，１５１Ｂに表示させ、スクリーンに投影させる。これにより、メニュー画面が、ＯＳＤ（On Screen Display）によりスクリーンに投影表示される。
【０１０６】
Ｓ１２０５で、ＣＰＵ１１０は、メニューの表示時間として予め設定された規定時間が経過したかどうかを判定する。ここでの規定時間は、ユーザがあらかじめ操作部１１３を介してＲＡＭ１１２に設定しておいてもよいし、予めＣＰＵ１１０がＲＯＭ１１１に書きこんでおいてもよい。規定時間が経過すると（Ｓ１２０５）、ＣＰＵ１１０は、照明モードへの遷移を各部に指示し、図１２に示す処理を終了する。
【０１０７】
このように、一時的に表示モードにしてメニュー画面を表示するので、ユーザは、投影表示されるメニュー画面を視認してプロジェクタ１００を操作できる。また、規定時間の経過後に照明モードに自動復帰するので、ユーザに手間をかけることなしに照明効果を維持できる。
【実施例６】
【０１０８】
表示モードで動作中でも、照明モードに関するメニューの設定の確認ができるようにした実施例を説明する。この実施例では、照明モードに関するメニュー表示時に、メニュー表示領域以外の部分に、設定の変更結果を判定した表示内容になる照明反映領域を設ける。
【０１０９】
図１３は、本実施例の画面構成例を示す。表示領域１３１０のほぼ中央に、メニューを表示するメニュー表示領域１３０２を置き、メニュー表示領域１３０２の周囲を照明反映領域１３０１とする。
【０１１０】
図１３（ａ）に示す画面例で、メニュー設定の色温度設定を変更すると、ＣＰＵ１１０は、表示領域１３００を、図１３（ｂ）に示す画面例に変更する。照明反映領域１３０１の色温度が、設定内容に応じて変化する。
【０１１１】
図１３（ａ）に示す画面例で、メニュー設定の照明形状を変更すると、ＣＰＵ１１０は、表示領域１３００を、図１３（ｃ）に示す画面例に変更する。照明反映領域１３０１の形状が、設定内容に応じて円形に変更される。
【０１１２】
メニュー表示領域以外の部分に照明モードに関するメニューの設定内容を反映する領域を設けて、設定の変更結果を即時に反映させるようにしたので、ユーザは、照明設定の変更結果を即時に視覚的に確認できるようになる。
【０１１３】
（その他の実施例）プロジェクタに適用した実施例を説明したが、本発明は、いわゆるフラットディスプレイや球体ディスプレイ等の多種多様な形状／表示方法の表示装置一般に適用可能である。例えば、有機ＥＬディスプレイや液晶ディスプレイは、外部映像や特定の繰り返し画像等を表示する用途にも、照明手段としても利用可能であり、インテリアの一部としても利用されうる。
【０１１４】
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【０１１５】
この場合、記憶媒体から読み出されたプログラムコード自体が前述した実施形態の機能を実現することになり、プログラムコード自体及びそのプログラムコードを記憶した記憶媒体は本発明を構成することになる。
【０１１６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１１７】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【０１１８】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図１】
2019080176.tif 000003
【図２】
2019080176.tif 000004
【図３】
2019080176.tif 000005
【図４】
2019080176.tif 000006
【図５】
2019080176.tif 000007
【図６】
2019080176.tif 000008
【図７】
2019080176.tif 000009
【図８】
2019080176.tif 000010
【図９】
2019080176.tif 000011
【図１０】
2019080176.tif 000012
【図１１】
2019080176.tif 000013
【図１２】
2019080176.tif 000014
【図１３】
2019080176.tif 000015